(57)【特許請求の範囲】
【請求項１】
底面が開口し、内部が中空の錐体形状からなり、当該中空の内部に植栽を所望する植栽植物が入れられた植栽ポットと、
施工面上に敷かれて、施工面からの雑草の生長を防除すると同時に、上記植栽植物のランナーが上記施工面に根を下ろすのを許容するシート状の基材であって、扁平な第一の糸と、扁平な第二の糸とからなり、上記第一の糸は、上記第二の糸よりも厚手且つ幅広に構成され、上記第二の糸は、上記第一の糸よりも薄手且つ幅狭に構成され、上記第一の糸と上記第二の糸とが交互に交錯して編み込まれた防草基材と、により、上記施工面を上記植栽植物により緑化するための植栽方法であって、
上記施工面に上記防草基材を敷設する工程と、
上記植栽ポットを、頂点側の端部から上記防草基材を貫いて上記施工面に挿し込む工程と、を有する、
ことを特徴とする植栽方法。
【請求項２】
上記防草基材には、上記植栽ポットを上記施工面に挿し込むための貫通孔が形成されている、
請求項１記載の植栽方法。
【請求項３】
上記植栽ポットは紙製である、
請求項１又は２記載の植栽方法。
【請求項４】
上記植栽ポットは、１枚の紙を円錐形状に巻いて形成され、
上記円錐形の頂点部分に、紙を巻いた際に形成された孔を塞ぐための球体が配置されている、
請求項１乃至３いずれかの項に記載の植栽方法。
【発明の詳細な説明】
【技術分野】
【０００１】
本発明は、防草シートと植栽ポットを用い、雑草の繁茂を防ぐと同時に、施工面に所望の植物を植栽する方法に関する。
【背景技術】
【０００２】
従来から、植物の苗木を育成するために様々な育苗ポットや、植栽ポットが開発され実用化されてきた。また、育苗用ポットとして苗を生育させ、かつ移植用ポットとして土中への移植を可能とするポットが提案されていた。
【０００３】
例えば、特許文献１には、地中に打ち込みやすくするために、下端部が尖った円錐型形状の筒体であり、材質がプラスチック製樹脂や生分解性プラスチックなどで構成され、苗木や培土の充填が容易にする目的で上記筒体が垂直二分割できる育苗ポットに関する技術が開示されている。
また、特許文献２、特許文献３には、空気中では分解されない紙製ポットであって、移植後の土中において、速やかに紙製ポットの分解を可能とする素材構成に関する技術が開示されている。
また、特許文献４には、活着カプセルであって、生分解性の紙材料により中空形状に形成され、内部に高分子保水材や肥料を充填させ、長期間保水可能な技術が開示されている。
【０００４】
一方においては、飛来して来る雑草が発芽して生長することを抑止しながら、育成を希望する植物の生長させる技術が提案されてきた。
例えば、特許文献５には、所定厚さの矩形状の本体部と、前記本体部の隣接する２つの上面を所定幅だけ延設して形成された上面段差部と、前記上面段差部が形成された辺部以外の２つの辺部に前記上面段差部と同じ幅だけ下面を延設して形成された下面段差部とを備え、前記上面段差部及び下面段差部の厚さの合計値は前記本体部の厚さとほぼ同じとなるように設定された緑化用板状パネル材に関する技術が開示されている。また、当該緑化用板状パネルを複数枚平面状に配列し、隣接する前記緑化用板状パネル材の上面段差部及び下面段差部が所定長だけずらして重合した状態となるように敷設されており、このようにずらすことで形成された空き領域を植栽領域とするパネル構造に関する技術が開示されている。
【先行技術文献】
【特許文献】
【０００５】
【特許文献１】特許第４０２２４８４号公報
【特許文献２】特開平８−１１６７９７号公報
【特許文献３】特開平９−２９４４８１号公報
【特許文献４】特開２００４−４２号公報
【特許文献５】特開２００８−３０７０２６号公報
【発明の概要】
【発明が解決しようとする課題】
【０００６】
しかしながら、上記特許文献１に係る育苗ポットは、素材に樹脂製プラスチックや生分解性プラスチックや崩壊性プラスチックを素材とするため、地中で分解までの時間がかかることが問題であった。
また、上記特許文献２、及び特許文献３に係る紙製ポットは、土中における分解が速やかになる構成であって、ポット自体を地面へ打ち込むことを目的とした素材の示唆や開示を行ったものではなかった。
また、上記特許文献４に係る活着カプセルは、地面に置くか、下端部を埋めるため、天候などによって、カプセルが移動してしまい、目的とする場所で育成しない恐れがあった。
【０００７】
さらに、上記特許文献１から４記載の技術を単独で用いても、ポット内で植物を育苗させることが出来るに過ぎず、ポットを敷設した場所以外の施工面には、飛来してきた種子による雑草が繁茂するなどして、所望の植物のみで施工面全体をカバーすることはできなかった。
【０００８】
一方、上記特許文献５に係るパネル材を施工面に敷設して所望の植物を生長させようとしても、夏などの暑い時期には特に、植物の生長のための水分の揮発や養分の流出が激しく、所望の植物を生長させることが容易でなかった。
【０００９】
そこで本発明は、施工面における雑草の繁茂を防いで、当該施工面を所望の植物のみで緑化する方法を提供することを目的とする。
【課題を解決するための手段】
【００１０】
上記目的を達成するために、本発明に係る植栽方法は、底面が開口し、内部が中空の錐体形状からなり、当該中空の内部に植栽を所望する植栽植物が入れられた植栽ポットと、施工面上に敷かれて、施工面からの雑草の生長を防除すると同時に、上記植栽植物のランナーが上記施工面に根を下ろすのを許容するシート状の基材であって、扁平な第一の糸と、扁平な第二の糸とからなり、上記第一の糸は、上記第二の糸よりも厚手且つ幅広に構成され、上記第二の糸は、上記第一の糸よりも薄手且つ幅狭に構成され、上記第一の糸と上記第二の糸とが交互に交錯して編み込まれた防草基材と、により、上記施工面を上記植栽植物により緑化するための植栽方法であって、上記施工面に上記防草基材を敷設する工程と、上記植栽ポットを、頂点側の端部から上記防草基材を貫いて上記施工面に挿し込む工程と、を有することを特徴とする。
【００１１】
また、上記防草基材には、上記植栽ポットを上記施工面に挿し込むための貫通孔が形成されているものとしてもよい。
【００１２】
また、上記植栽ポットは紙製であるものとしてもよい。
【００１３】
また、上記植栽ポットは、１枚の紙を円錐形状に巻いて形成され、上記円錐形の頂点部分に、紙を巻いた際に形成された孔を塞ぐための球体が配置されているものとしてもよい。
【発明の効果】
【００１４】
本発明によれば、施工面における雑草の繁茂を防ぐと共に、所望の植物の生長に必要な水分や養分を保持して当該植物を生長させ、当該施工面を所望の植物のみで緑化させることができる。
【図面の簡単な説明】
【００１５】
【図１】本発明の実施形態に係る植栽方法を施工した施工面を示す外観斜視図である。
【図２】本実施形態に係る植栽方法に用いられる植栽ポットの外観を示す斜視図である。
【図３】本実施形態に係る植栽方法に用いられる防草シートの積層構造を示す模式図である。
【図４】本実施形態に係る植栽方法に用いられる防草シートを構成する間隙形成基材の外観を示す斜視図である。
【図５】本実施形態に係る植栽方法に用いられる防草シートを構成する防草基材の外観を示す斜視図である。
【図６】本実施形態に係る植栽方法において、施工面に挿し込まれた植栽ポットとその周辺部を示す断面図である。
【図７】本実施形態に係る植栽方法に用いられる防草シートを構成する防草基材の他の例の外観を示す斜視図である。
【図８】本実施形態に係る植栽方法に用いられる防草シートを構成する防草基材の他の例において（ａ）外観を示す斜視図、（ｂ）断面図である。
【図９】本実施形態に係る植栽方法に用いられる植栽ポットの他の例の外観を示す斜視図である。
【発明を実施するための形態】
【００１６】
以下、本発明の実施形態について、図面に基づいて説明を行う。
図１は、本実施形態に係る植栽方法を施工面４に従って、施工面４に防草シート３を敷設すると共に、所望の植栽植物２を植えた植栽ポット１を施工面４に挿し込んだ状態を示している。
施工面４上に敷設された防草シート３には、所々に植栽ポット１を挿し込むための貫通孔３ａが形成されており、この貫通孔３ａを介して、施工面４に植栽ポット１が挿し込まれている。なお、植栽ポット１を挿し込むための貫通孔３ａは、予め設けておいてもよいし、植栽ポット１を挿し込む際に設けてもよい。
【００１７】
ここで、施工面４は例えば、土壌、砂利や砕石等が堆積した地面等である。
また、植栽植物２は、生長した植物そのものや、当該植物の根や茎などであり、いわゆる株分けによって繁茂する。植栽植物２の種類は特に限定されるものではないが、いわゆるグランドカバーとしては、生長が早く耐踏性に優れたリピアなどが好適である。
【００１８】
植栽ポット１は、図２に示されるように、内部が中空の円錐形状からなり、当該円錐形状の底面を形成する円部分は開口し、頂点側の先端部分が閉じた形状をしている。植栽ポット１内には、培土等と共に植栽植物２が入れられ、先端部分から、防草シート３の貫通孔３ａを介して施工面４に挿し込まれる。
【００１９】
植栽ポット１の材料には、天然繊維や、パルプ繊維などの紙が用いられる。そして、植栽ポット１を構成する紙は、植栽ポット１を地中に挿し込む際に、十分に地中へ挿し込める強度を有していればよい。
また、植栽ポット１は例えば、紙などのパルプ繊維により構成された紙製部材を用いて丸めることで、円錐型形状を形成して作製することができる。または、射出成型により円錐型形状である紙製の植栽ポット１を作製することもできる。
【００２０】
防草シート３は、図３に示されるように、ＵＶシート３１、間隙形成基材３２、防草基材３３、ウールマット３４を順次、積層させた多層構造からなる。
この防草シート３には、所定の箇所に、ＵＶシート３１、間隙形成基材３２、防草基材３３、及びウールマット３４を一気に貫通した貫通孔３ａが形成されており、この貫通孔３ａを介して、植栽ポット１が施工面４に挿し込まれる。なお、貫通孔３ａは予め設けなくても、植栽ポット１を施工面４に挿し込む際に設けるものとしてもよい。
【００２１】
ＵＶシート３１は、施工面４に降り注ぐ紫外線（ＵＶ）を遮断するシートである。このＵＶシート３１には、細かな孔３１ａが多数設けられている。この孔３１ａは、植栽ポット１中の植栽植物２のランナーを、施工面４に到達させるために形成されている。植栽植物２のランナーは、孔３１ａからＵＶシート３１の下面側へ潜り込んで、施工面４に向かって伸長する。
【００２２】
間隙形成基材３２は、飛来してくる雑草の種子により、雑草が繁茂するのを防ぐために用いられるシート状の基材である。
図４に示されるように、この間隙形成基材４は一定の厚みを有し、表面から裏面へ貫通した小さな孔３２ａが全面に設けられている。
【００２３】
全面に設けられた孔３２ａは、飛来してくる各種の雑草の種子が貫通不可能な程度に目を細かくして形成されている。また、植栽植物２のランナーは、孔３２ａを介して、上面から施工面４側へ伸長する。
【００２４】
また、間隙形成基材３２は保水性のない素材によって構成されている。具体的には、ナイロン系の樹脂が用いられる。
【００２５】
このような構成からなる間隙形成基材３２を敷設することで、間隙形成基材３２上に、飛来してきた雑草の種子が着地した場合であっても、この種子は孔３２ａを通過することができず、施工面４に到達しない。この結果、施工面４上で、当該飛来してきた種子により雑草が繁茂するのを防ぐことができる。
また、間隙形成基材３２が、一定の厚みを有し、保水性のない素材で構成されていることから、施工面４から毛管現象によって水が伝うことがない。そのため、間隙形成基材３２上に着地した種子に、施工面４から水分が供給されず、種子の発芽が妨げられる。
【００２６】
防草基材３３は、施工面４上において、植栽ポット１内の植栽植物２から伸び出たランナーが根を生やして繁茂するのを許容する一方、施工面４から伸長してくる雑草の繁茂を防除する基材である。
この防草基材３３は、図５に示されるように、複数本の糸３３ａと糸３３ｂとが、緯方向ないし経方向に格子状ないしは網目状に編み込まれると共に、交互に交錯している。
【００２７】
糸３３ａは、糸３３ｂに比して、厚手で、幅広な扁平糸である。
糸３３ａの素材としては例えば、ポリプロピレンなどの各種高分子材料を用いることができるが、とりわけポリ乳酸等の生分解性の高分子材料を用いれば、環境にやさしく好適である。
【００２８】
糸３３ｂは、糸３３ａに比して、薄手で幅狭な扁平糸である。
糸３３ｂの素材も糸３３ａと同様に、ポリプロピレンなどの各種高分子材料を用いることができるが、とりわけポリ乳酸等の生分解性の高分子材料を用いれば、環境にやさしく好適である。
【００２９】
このような糸３３ａと糸３３ｂは、交互に交錯して織り込まれ、全体としてシート形状の防草基材３３を形成する。ここで、糸３３ａと糸３３ｂを編み込んで構成される防草基材３３の網目の大きさは、例えば１ｍｍ程度である。
また、編み込まれた糸３３ａと糸３３ｂの間であって、一の糸３３ａ又は糸３３ｂが夫々、別の糸３３ｂ又は糸３３ａに潜り込む部分には、水平方向に僅かな隙間が形成されている。
【００３０】
以上の構成からなる防草基材３３により、施工面４から伸び出る雑草が真っ直ぐ直上に伸びようとしても、糸３３ａと糸３３ｂとによって形成されたシート状の面にぶつかって、伸長を妨げられる。
一方、植栽ポット１から伸び出てきた植栽植物２のランナーは、防草基材３３上において、直下のみならず、水平方向など多方向に伸び出るため、糸３３ａと糸３３ｂとによって形成された水平方向の隙間を介して、あるいはこの隙間を押し広げて、防草基材３３の下面側へ伸長し、施工面４に根を下ろすことができる。
【００３１】
ウールマット３４は、植栽植物の成形培地である。このウールマット３４は例えばロックウールマットであり、ケイ酸等を主成分とした岩石を高温溶融した後に繊維状にし、シート状に成型したものである。
【００３２】
以上の植栽ポット１と防草シート３を用いる場合にはまず、図６に示されるように、ポット内に培養土１１、泥炭１２、及び保水材１３と共に所望の植栽植物２を一緒に入れる。
ここで、保水材１３は例えば、水溶性モノマーの重合体である吸水性ポリマーであって、例えば、澱粉−アクリロニトリルグラフト共重合体の加水分解物、カルボキシメチルセルロース架橋体、架橋ポリアクリル酸（塩）、アクリル酸（塩）−ビニルアルコール共重合体および架橋ポリエチレンオキシド等である。
この保水材１３により水分を保持して、植栽植物２の生長を促すことが出来る。
【００３３】
それから、施工面４上に防草シート３を敷いた上、防草シート３に形成されている貫通孔３ａを介して、植栽ポット１を、尖った先端部分から施工面４に挿し込む。なお、防草シート３に予め貫通孔３ａを設けない場合には、植栽ポット１を挿し込む際に、所定の箇所に貫通孔３ａを設ける。
【００３４】
防草シート３に形成された貫通孔３ａを介して施工面４に挿し込まれた植栽ポット１内では、備え付けから一定期間は、植栽植物２の成長に必要な水分や養分が、培養土１１、泥炭１２、及び保水材１３によって保持され、これにより植栽植物２は生長する。
また、植栽植物２が一定程度生育した頃には、植栽ポット１が紙製であるために地中において生分解される。これにより、植栽ポット１が植栽植物２の生育を妨げることがない。
さらに、生長した植栽植物２のランナー（匍匐茎）は防草シート３上を這って伸び、植栽ポット１から離れた場所において、防草シート３を介して施工面４に根を下ろす。
このように、ランナーが多数伸長して根を下ろすことで、施工面４上が緑化する。
【００３５】
以上において、防草シート３を構成した防草基材３３は、図７に示されるような構造からなるものであってもよい。
図７に示される防草基材５は、前述した防草基材３３とは異なり、複数本の緯糸５ａと経糸５ｂとが夫々、緯方向ないし経方向に格子状ないしは網目状に編み込まれると共に、交互に交錯している。
【００３６】
緯糸５ａは、経糸５ｂに比して、厚手で、幅広な扁平糸であり、緯方向に編み込まれている。
緯糸５ａの素材としては例えば、ポリプロピレンなどの各種高分子材料を用いることができるが、とりわけポリ乳酸等の生分解性の高分子材料を用いれば、環境にやさしく好適である。
【００３７】
経糸５ｂは、糸１ａに比して、薄手で幅狭な扁平糸であり、経方向に編み込まれている。
経糸５ｂの素材も緯糸５ａと同様に、ポリプロピレンなどの各種高分子材料を用いることができるが、とりわけポリ乳酸等の生分解性の高分子材料を用いれば、環境にやさしく好適である。
【００３８】
このような緯糸５ａと経糸５ｂは、交互に交錯して織り込まれ、全体としてシート形状の防草基材５を形成する。ここで、緯糸５ａと経糸５ｂを編み込んで構成される防草基材５の網目の大きさは、例えば１ｍｍ程度である。
また、隣り合う緯糸５ａないしは経糸５ｂ同士の間であって、一の緯糸５ａないしは経糸５ｂが、別の経糸５ｂないしは緯糸５ａに潜り込む部分には、水平方向に僅かな隙間が形成されている。
【００３９】
以上の構成からなる防草基材５によっても、防草基材３３と同様に、施工面４側から伸び出る雑草は、真っ直ぐ直上に伸びようとするが、緯糸５ａと経糸５ｂとによって形成されたシート状の面にぶつかって、伸長を妨げられる。
一方、防草基材５の上方から来る植栽植物４のランナーは、直下のみならず、水平方向など多方向に伸び出るため、緯糸５ａと経糸５ｂとによって形成された水平方向の隙間を介して、あるいはこの隙間を押し広げて、防草基材５の下面側へ伸長し、施工面４に根を下ろすことができる。
【００４０】
さらに、防草基材３３は、図８に示されるような構造からなるものとしてもよい。
即ち、図８に示される防草基材６は、幅方向に湾曲した略平板長尺状の構成部材６１を複数、側端部を幅方向に順次重ね合わせてなる。
側端部には、縫着孔６１ａが設けられており、縫着孔６１ａを介して、隣り合う構成部材６１同士が糸６２で縫着されている。なお、各構成部材６１は、凸面側ないし凹面側を同一の方向に向けて縫着されている。
【００４１】
防草基材６は、各構成部材６１の湾曲凸面側を施工面４側に向けた状態で、防草シート３を構成する。
この防草基材６によれば、施工面４側から伸び出る雑草は、各構成部材６１の凸面側にぶつかるが、雑草が構成部材６１を押し上げる力は、各構成部材６１内において圧縮応力に変わる。この結果、施工面４側から伸び出した雑草は施工面４へ押し戻される。
一方、各構成部材６１の上方から来る植栽植物２のランナーは、水平方向から各構成部材６１の間を押し広げて防草基材６の下面側へ伸び出し、施工面４へ到達する。
【００４２】
また、植栽ポット１の他の構成例として、植栽ポット７を図９に示す。
植栽ポット７は、植栽ポット１と同様に、円錐型形状からなり、当該円錐型の底面を形成する円部分が開口しているが、先端部分は開口した形状をしている。
【００４３】
なお、植栽ポット７の材料には、植栽ポット１と同様に、天然繊維や、パルプ繊維などの紙が用いられる。そして、植栽ポット１を構成する紙は、植栽ポット１を地中に挿し込む際に、十分に地中へ挿し込める強度を有していればよい。
また、植栽ポット７は例えば、紙などのパルプ繊維により構成された紙製部材を用いて丸めることで、円錐型形状を形成して作製することができる。または、射出成型により円錐型形状である紙製の植栽ポット７を作製することもできる。
【００４４】
この植栽ポット７を用いる場合にはまず、植栽ポット７の先端の開口部の直径よりも直径が大きいセラミックボール８を１粒、植栽ポット７の上端開口部から投入する。これにより、植栽ポット７の下端開口部を塞ぐ。
なお、セラミックボール８は多孔性を有していてもよい。続いて、ポット内に培養土１１、泥炭１２、及び保水材１３と共に所望の植栽植物２を一緒に入れる。
【００４５】
このように植栽ポット７に植栽植物２を入れた後に、施工面４上に敷いた防草シート３の貫通孔３ａを介して、施工面４上に植栽ポット７を挿し込む。
【００４６】
以上のような植栽ポット７においても、植栽ポット１を用いた場合と同様、施工面４に挿し込まれた植栽ポット１においては、備え付けから一定期間は、ポット内の培養土１１、泥炭１２、及び保水材１３によって養分や水分が植栽植物２に供給され、植栽植物２にとって好適な生育環境が維持される。そして、植栽植物２が一定程度生育した頃には、植栽ポット１は紙製であるために地中において生分解され、これにより、植栽ポット１が植栽植物２の生育を妨げることがない。
【００４７】
なお、以上の本発明の実施形態においては、植栽ポット１、７は円錐形状としたが、これに限らず、三角錐形状や四角錐形状など、各種の錐体形状としてもよい。
また、本実施形態においては、防草シート３は、ＵＶシート３１、間隙形成基材３２、防草基材３３、及びウールマット３４を順次積層させてなるが、施工面４からの雑草の伸長を防止するためには、少なくとも防草基材３３を備えていればよく、防草シート３として、防草基材３３のみを施工面４に敷いてもよい。
【符号の説明】
【００４８】
１      植栽ポット
１１    培養土
１２    泥炭
１３    保水材
２      植栽植物
３      防草シート
３ａ    貫通孔
３１    ＵＶシート
３１ａ  孔
３２    間隙形成基材
３３    防草基材
３４    ウールマット
４      施工面
５      防草基材
５ａ    緯糸
５ｂ    経糸
６      防草基材
６１    構成部材
６１ａ  縫着孔
７      植栽ポット
８      セラミックボール
【図１】
0005469550.tif 000002
【図２】
0005469550.tif 000003
【図３】
0005469550.tif 000004
【図４】
0005469550.tif 000005
【図５】
0005469550.tif 000006
【図６】
0005469550.tif 000007
【図７】
0005469550.tif 000008
【図８】
0005469550.tif 000009
【図９】
0005469550.tif 000010